(57)【要約】【課題】店舗別、客先別の情報を明記した連番タック片を装着可能なハンガーを提供すること。【解決手段】衣服を支持するための衣服支持部（２）と、衣服支持部（２）の略中央上部に連設されたフック部（３）と、フック部（３）の基部（３０２）に連設された、衣服を店別及び客先別に仕分けするための連番が記載された連番タック片が装着されるタック装着部（４）とを備えた、クリーニング工場等においてクリーニングが完了した衣類を吊るすために用いられるハンガーであり、タック装着部（４）は、全体として長板状とし、タック片が嵌入される凹部（４０１）を有するとともに、前記凹部（４０１）における長手方向に直行する幅寸法を１０ミリ未満にし、前記タック片を凹部（４０１）内に圧入することでタック片の長手方向に沿った両端部分を変形させて凹部（４０１）内に係止可能にした。【選択図】図１
0003106740.tif 000002
【実用新案登録請求の範囲】
【請求項１】
衣服を支持するための衣服支持部（２）と、該衣服支持部（２）の略中央上部に連設されたフック部（３）と、このフック部（３）の基部（３０２）に連設された、衣服を店別及び客先別に仕分けするために用いる連番が記載された連番タック片が装着されるタック装着部（４）とを備えた、クリーニング工場等においてクリーニングが完了した衣類を吊るすために用いられるハンガーであって、
前記タック装着部（４）は、全体として長板状とし、前記連番タック片が嵌入される凹部（４０１）を有するとともに、前記凹部（４０１）における長手方向に直行する幅寸法を１０ミリ未満にし、前記連番タック片を凹部（４０１）内に圧入することにより連番タック片の長手方向に沿った両端部分を変形させて凹部（４０１）内に係止可能にした、ことを特徴とするハンガー。
【請求項２】
前記衣服支持部（２）及びフック部（３）を一体に形成したことを特徴とする請求項１に記載のハンガー。
【考案の詳細な説明】
【技術分野】
【０００１】
本考案は、クリーニング店やクリーニング工場等で使用される業務用のハンガーに係り、より詳しくは、店舗別及び客先別の仕分けを行うための連番タック片を装着可能にし、これにより店舗別及び客先別の仕分けを容易に行うことを可能にしたハンガーに関する。
【背景技術】
【０００２】
従来からクリーニング店やクリーニング工場等においては、クリーニングされた衣服を店舗別及び客先別に仕分けするために、店舗名等及び連番が付された、いわゆる連番タック片を用いている。
【０００３】
即ち、一般的にクリーニング工場等において衣服のクリーニングを行う場合には、店舗ごと及び客先ごとの仕分けが可能な連番等が印刷された連番タック片が装着された衣服を、まず、店舗及び客先の区別をせずに、混ぜこぜの状態でクリーニングする。
【０００４】
そして、クリーニングが終了した後は、このクリーニングが終了した衣服をハンガーに吊るすとともに包装を行い、その後、仕分け場所（「ストックライン」という。）において、人手によって、連番タック片に記載された連番等を手がかりにしながら、店舗別、客先別の仕分けを行う。
【０００５】
ところで、クリーニングされた衣服を店舗別及び客先別に仕分けするための情報はすべて連番タック片に明記されているために、仕分けを行うためには必ず連番タック片を見なければならないが、ストックラインにはクリーニングが終了した多くの衣服が隙間無く吊るされている一方、従来は、連番タック片を衣服に直接装着していたために、仕分け作業を行う際には、隙間無くストックラインに吊るされている衣服をかき分けながら連番タック片を見なければならず、作業に手間と時間がかかるとともに作業全体が煩雑にならざるを得ないという問題点が指摘されている。
【０００６】
この点、従来から、大量の処理が可能な大型のクリーニング工場等においては、店舗、客先等の情報が記憶されたバーコードが印刷されたバーコードタックをハンガーに装着し、このバーコードをスキャナー等で読むことにより行う自動仕分けシステムが採用されているが、この自動仕分けシステムを導入するためには莫大な費用が必要となるため、比較的小型のクリーニング工場等においては非現実的なシステムである。
【０００７】
また、この自動仕分けシステムにおいては、バーコードを装着可能なハンガーを用いているため、このハンガーを用いて連番テック片をハンガーに装着することも考えられるが、前記バーコードタックと連番タック片とは本質的に異なったものであり、連番タック片はバーコードタック片よりもサイズが小さいために、従来のバーコードタック片用のハンガーに連番タック片を装着することは不可能である。即ち、従来のバーコードタック片用のハンガーに連番タック片を装着した場合にはこの連番タック片が脱落してしまい、それにより店舗別及び客先別の仕分けがまったく不可能になってしまう、という問題点がある。
【特許文献１】特開２００１−６２１９０号公報
【考案の開示】
【考案が解決しようとする課題】
【０００８】
そこで、本考案は、店舗別、客先別の情報を明記した連番タック片を装着可能なハンガーを提供することを課題としている。
【課題を解決するための手段】
【０００９】
本考案のハンガーは、衣服を支持するための衣服支持部と、該衣服支持部の略中央上部に連設されたフック部と、このフック部の基部に連設された、衣服を店別及び客先別に仕分けするために用いる連番が記載された連番タック片が装着されるタック装着部とを備えた、クリーニング工場等においてクリーニングが完了した衣類を吊るすために用いられるハンガーであって、
前記タック装着部は、全体として長板状であるとともに、前記タック片が嵌入される凹部を有するとともに、前記凹部における長手方向に直行する幅寸法を１０ミリ未満にし、前記連番タック片を凹部内に圧入することにより連番タック片の長手方向に沿った両端部分を変形させて凹部内に係止可能にした、ことを特徴としている。
【考案の効果】
【００１０】
本考案のハンガーでは、衣服を店別及び客先別に仕分けするために用いる連番等が記載された連番タック片が装着されるタック装着部をフック部の基部に備えるとともに、このタック装着部は、全体として長板状であるとともに前記連番タック片が嵌入される凹部を有しており、この凹部における長手方向に直行する幅寸法を１０ミリ未満にしている。
【００１１】
即ち、一般的に前記連番タック片の幅寸法は１０ミリであるために、長手方向に直行する幅寸法を１０ミリ未満にした凹部を有したタック装着部を備えている本考案においては、凹部内に連番タック片を圧入すると、連番タック片の長手方向に沿った両端部分が変形して、これにより、連番タック片は凹部内に係止される。
【００１２】
従って、本考案によれば、従来は衣服に直接装着していた連番タック片をハンガーにおけるフック部の基部に装着することができ、そのために、クリーニングが完了した衣服の仕分けを行う際に、隙間無く吊るされている衣服をかき分けて連番タック片を見る必要が無くなり、仕分け作業の効率化を図ることが可能となる。
【考案を実施するための最良の形態】
【００１３】
本考案のハンガーでは、ワイシャツや背広等の衣服の肩部を支持するための衣服支持部を有しており、この衣服支持部の略中央上部には、ハンガー全体をパイプ等に吊すためのフック部が連設されている。
【００１４】
また、このフック部の基部には、クリーニングされた衣服を店舗別、客先別に仕分けするために用いる連番等が印刷された連番タック片が装着される、タック装着部が連設されている。
【００１５】
そして、このタッグ装着部は、全体として長板状にするとともに、その長手方向に沿って凹部を形成しており、更に、凹部における長手方向に直行する幅寸法を１０ミリ未満にし、これによって、連番タック片を凹部内に圧入すると、連番タック片の長手方向に沿った両端部分が変形して、連番タック片を凹部内に係止可能にしている。
【００１６】
なお、ここで、前記衣服支持部及びフック部は別部品として構成してもよいが、より好ましくは樹脂等により一体成形するとよく、これによりコストダウン等を図ることが可能である。
【実施例１】
【００１７】
本考案のハンガーの実施例について図面を参照して説明すると、図１は、本実施例のハンガーを正面から見た状態を示す図であり、図において１が本実施例のハンガーである。また、図２は図１における右方向から本実施例のハンガーを見た側面図、図３は図１のＡ−Ａ線断面の一部を示した図、図４は図１におけるＢ−Ｂ線端面図、図５は図１におけるＣ−Ｃ線端面図、及び図６は図１におけるＤ−Ｄ線端面図である。
【００１８】
そして、本実施例におけるハンガー１は、金型を用いて一体成型したものであり、その素材は樹脂としており、衣服を支持するための衣服支持部２と、この衣服支持部の略中央上部に上側に向けて連設されたフック部３とを有して構成されている。
【００１９】
ここで、前記衣服支持部２について説明すると、本実施例における前記衣服支持部２は、略ハ字形状とした肩部支持部２０１と、この肩部支持部２０１の先端部を連通した上部連通部２０２と、前記肩部支持部２０１の下端部を連通した下部連通部２０３とを有しており、これにより、衣服支持部２は、中央部分を空洞とした、略三角形状の輪郭としている。
【００２０】
そして、肩部支持部２０１によってクリーニングされた衣服を支持可能としており、更に、下部連通部２０３には、適宜、ズボン等を吊るすことを可能としている。
【００２１】
更に、前記上部連通部２０２の両側には襟ガイド２０４を左右方向に張り出させており、この襟ガイド２０４により、衣服の襟部分の型崩れを防止可能としている。そして、本実施例においてこの襟ガイド２０４としては、一端が上部連通部２０２に連設するとともに他端が前記肩部支持部２０１に連設された略Ｌ字状としている。但し、この襟ガイド２０４の形状は特に限定されず、また、襟ガイド２０４を備えない形態としてもよい。
【００２２】
なお、図４及び図５からも明らかなように、本実施例において前記衣服支持部２を構成する肩部支持部２０１、上部連通部２０２、下部連通部２０３は、長手方向に沿った両端部にリブ２０５を備えた形状としており、これにより強度を高めている。但し、必ずしもこのような構成にする必要はない。
【００２３】
次に、前記上部連通部２０２の上方には、ハンガー１をパイプ等の適宜な場所に吊るすためのフック部３が、上方向に向けて連設されており、このフック部３の先端部は略半円形状に湾曲させ、この湾曲部３０３によってハンガー１をパイプ等に吊るすことを可能としている。なお、湾曲部３０３の向きは特には限定されず、使用環境により、正面視野において左側に曲げた形態、あるいは正面視野において右側に曲げた形態がある。
【００２４】
ここで、前記フック部３について説明すると、本実施例においてフック部３は、前記上部連通部２０２に連設される連設部３０１を有しており、この連設部３０１は、略直角三角形状とした板状としている。なお、図６からも明らかなように、この連設部３０１の周縁部にはリブ３０４を形成して強度を高めている。
【００２５】
また、前記連設部３０１の頂点部分には、長尺状の基部３０２が連設されており、この基部３０２の上部に、前記湾曲部３０３が連設されている。
【００２６】
そして、前記基部３０２の長手方向に沿った一端には、連番タック片を装着するためのタック装着部４が連設されており、これにより前記フック部３が構成されている。
【００２７】
ここで、前記タック装着部４について説明すると、本実施例において前記タック装着部４は、連番タック片の形状に合わせて全体として長板状としており、図２及び図３からも明らかなように、前記基部３０２の正面側に対して、約４５度程度の角度をもって後方側に突出するようにしている。即ち、本実施例においては、連番タック片をタック装着部４に装着した場合に、前記連番タック片の長手方向に沿った一端が、ハンガー１の正面から見て斜め約４５度後方に向くようにしている。
【００２８】
また、本実施例において前記タック装着部４は、連番タック片が嵌入される凹部４０１を有しており、即ち、図１及び図３において４０１が凹部であり、この凹部４０１は、連番タック片の全体を収容可能な長さにするとともに、長手方向に直行する幅寸法を１０ミリ未満にしている。
【００２９】
即ち、一般的に前記連番タック片の幅寸法は約１０ミリであるため、本実施例においては、前記凹部４０１の幅方向寸法を１０ミリ未満にし、凹部４０１内に連番タック片を圧入したときに、連番タック片の長手方向に沿った両端部分が変形し、これにより、連番タック片を凹部４０１内に係止可能としている。
【００３０】
従って、本考案によれば、従来は衣服に直接装着していた連番タック片をハンガーにおけるフック部の基部に連番タック片を装着することができ、クリーニング工場等においてクリーニングが完了した衣服の仕分けを行う際に、隙間無く吊るされている衣服をかき分けて連番タック片を見る必要が無くなり、仕分け作業の効率化を図ることが可能となる。
【００３１】
また、店舗等においては、クリーニング工場等より入荷したクリーニング済衣服を入荷検品する際にはこの連番タック片を手掛かりに検品するが、店舗業務内容で多くの時間を必要とするのはこの検品作業と客先別仕分けであるところ、本実施例のハンガーでは、この多くの時間と手間を必要とする作業の軽減による生産性の向上と誤配達による紛失を防ぐことが可能となる。
【００３２】
なお、図１及び図３において４０２は、凹部４０１内に圧入した連番タック片の浮き上がりを防止するための浮き上がり防止片であり、及び、図において４０３は、凹部４０１の底部に形成した開口部である。
【００３３】
次に、本実施例のハンガーの作用について説明すると、本実施例のハンガーを用いてクリーニングされた衣服の仕分けを行う場合には、まず、連番タック片が装着した状態でクリーニングされた衣服を、本実施例のハンガー１に吊るす際において、衣服に装着されている連番タック片を取り外すとともにこの取り外した連番タック片をハンガー１のタック装着部４に装着する。即ち、連番タック片を凹部４０１内に圧入する。そうすると、凹部４０１はその幅寸法を連番タック片の幅寸法よりも小さい１０ミリ未満にしているために、圧入された連番タック片は、その長手方向に沿った両端が変形して、これによって、凹部４０１内に係止される。
【００３４】
そして、ストックラインにおいて衣服の仕分けを行う場合には、隙間無く吊るされた衣服をかき分けることなく、フック部３に連設したタック装着部４の部分を見ることのみにより、連番タックを見ることができ、それにより容易に仕分けを行うことが可能である。
【００３５】
また、本実施例においては、タック装着部４を、基部３０２の正面側に対して約４５度程度の角度をもって後方側に突出するように連設し、これにより、連番タック片をタック装着部４に装着した場合には前記連番タック片の長手方向に沿った一端がハンガー１の正面から見て斜め約４５度後方に向くようにしているために、衣服をパイプ等に吊るした状態においては、連番タッグ片がパイプの長手方向に対して約４５度傾いた方向に向くため、容易に連番タック片に明記されている連番等を確認することができる。
【００３６】
なお、前述の実施例では、ハンガー１の全体を樹脂により一体成型した場合を説明したが、本考案のハンガーでは、必ずしも一体成形する必要は無く、また素材も樹脂とする必要はない。
【００３７】
また、前述の実施例では、タック装着部４の連設方法として、基部３０２の正面側に対して約４５度程度の角度をもって後方側に突出するようにした場合について説明したが、必ずしも４５度後方側に突出するように連設する必要もなく、連番タックの面がハンガーの正面に向くように、基部３０２の正面側と平行方向に向けてタック装着部４を連設してもよい。
【００３８】
更に、前述の実施例では、衣服支持部２を、その輪郭を略三角形状とした場合について説明したが、衣服支持部の形状は、特にこの形状に限定されるものではなく、例えば図７に正面図で示すような、略横長の長方形状の衣服支持部としてもよく、又は、図８に正面図で示すような、前記下部連通部を有さない形状としてもよい。なお、図７及び図８に記載した形態のハンガーは衣服支持部の輪郭形状が前述した実施例と異なっている点に大きな特徴があり、その他の、フック部３及びタック装着部４等は前述した実施例とほぼ同様であるので、重複した説明を省略するとともに同一部分には同一符号を付した。
【産業上の利用可能性】
【００３９】
本考案のハンガーは、クリーニングされた衣服を店舗別及び客先別に仕分けするために用いる連番テック片を装着可能なタック装着部を備え、これにより、クリーニングが完了した衣服の仕分け作業の効率化を図ることを可能としているため、ワイシャツ用ハンガーや背広用ハンガーの他に、スカート用ハンガー、オーバーコート用ハンガー、ズボン用ハンガー等の、連番タック片を用いてクリーニング済衣服の仕分けを行う衣服を吊るすハンガーのすべてに使用可能である。
【図面の簡単な説明】
【００４０】
【図１】本考案のハンガーの実施例の正面図である。
【図２】本考案のハンガーの実施例の側面図である。
【図３】図１における略Ａ−Ａ線端面を示す図である。
【図４】図１におけるＢ−Ｂ線端面を示す図である。
【図５】図１におけるＣ−Ｃ線端面を示す図である。
【図６】図１におけるＤ−Ｄ線端面を示す図である。
【図７】本考案のハンガーの他の形態の正面図である。
【図８】本考案のハンガーの他の形態の正面図である。
【符号の説明】
【００４１】
１    ハンガー
２    衣服支持部
２０１    肩部支持部
２０２    上部連通部
２０３    下部連通部
２０４    襟ガイド
２０５    リブ
３    フック部
３０１    連設部
３０２    基部
３０３    湾曲部
３０４    リブ
４    タック装着部
４０１    凹部
４０２    浮き上がり防止片
４０３    凹部の底部に形成した開口
【図１】
0003106740.tif 000003
【図２】
0003106740.tif 000004
【図３】
0003106740.tif 000005
【図４】
0003106740.tif 000006
【図５】
0003106740.tif 000007
【図６】
0003106740.tif 000008
【図７】
0003106740.tif 000009
【図８】
0003106740.tif 000010